(57)【要約】【課題】  自車両前方の状況を連続的に把握できる車両用距離画像データ生成装置および車両用距離画像データの生成方法を提供する。【解決手段】  イメージインテンシファイア７ｂ及び高速度カメラ８により得られたターゲット距離の異なる複数の撮像画像における同一画素の輝度に基づいて、画素毎の物体までの距離を表す距離画像データを生成する画像処理部１０と、自車の近距離の物体を検出する近距離物体センサ１１と、近距離の物体を検出した際に、投光器５の投光量を弱くし、撮像タイミングを弱い投光量に応じるようタイミングコントローラ９に指令出力を行う近距離物体認識部１２及び近距離判断部１３を備えた。【選択図】  図１
2009282906.tif 000002
【特許請求の範囲】
【請求項１】
自車両前方に所定周期でパルス光を投光する投光手段と、
ターゲット距離に応じて設定される撮像タイミングで前記ターゲット距離から帰ってくる反射光を撮像する撮像手段と、
前記ターゲット距離が連続的に変化するように前記撮像タイミングを制御するタイミング制御手段と、
前記撮像手段により得られたターゲット距離の異なる複数の撮像画像における同一画素の輝度に基づいて、画素毎の物体までの距離を表す距離画像データを生成する距離画像データ生成手段と、
自車の近距離の物体を検出する近距離検出手段と、
近距離の物体を検出した際に、前記投光手段の投光量を弱くし、前記撮像タイミングを弱い投光量に応じるよう指令出力を行う投光量抑制制御手段と、
を備えた、
ことを特徴とする車両用距離画像データ生成装置。
【請求項２】
請求項１に記載の車両用距離画像データ生成装置において、
車速情報を取得する車速検知手段を設け、
前記投光量抑制制御手段は、
車両が停車の際には、前記投光手段の投光量を弱くし、前記撮像タイミングを弱い投光量に応じるよう指令出力を行い、
車両が走行の際には、前記投光手段の投光量を強くし、前記撮像タイミングを強い投光量に応じるよう指令出力を行う、
ことを特徴とする車両用距離画像データ生成装置。
【発明の詳細な説明】
【技術分野】
【０００１】
本発明は、車両用距離画像データ生成装置の技術分野に属する。
【背景技術】
【０００２】
特許文献１には、自車両前方を投光し、ターゲット距離から戻ってくる反射光のタイミングに合わせて撮像した画像に基づいて、当該ターゲット距離に障害物等の物体が存在するか否かを検出する技術が開示されている。
【特許文献１】米国特許第６７００１２３号明細書
【発明の開示】
【発明が解決しようとする課題】
【０００３】
しかしながら、上記従来技術にあっては、ターゲット距離以外の物体を検出できない。つまり、状況の把握が間欠的であり、自車両前方の状況を連続的に把握できないという問題があった。
【０００４】
本発明の目的は、自車両前方の状況を連続的に把握できる車両用距離画像データ生成装置を提供することにある。
【課題を解決するための手段】
【０００５】
上記目的を達成するため、本発明の車両用距離画像データ生成装置では、自車両前方に所定周期でパルス光を投光する投光手段と、ターゲット距離に応じて設定される撮像タイミングで前記ターゲット距離から帰ってくる反射光を撮像する撮像手段と、前記ターゲット距離が連続的に変化するように前記撮像タイミングを制御するタイミング制御手段と、前記撮像手段により得られたターゲット距離の異なる複数の撮像画像における同一画素の輝度に基づいて、画素毎の物体までの距離を表す距離画像データを生成する距離画像データ生成手段と、自車の近距離の物体を検出する近距離検出手段と、近距離の物体を検出した際に、前記投光手段の投光量を弱くし、前記撮像タイミングを弱い投光量に応じるよう指令出力を行う投光量抑制制御手段と、を備えた、ことを特徴とする。
【発明の効果】
【０００６】
よって、本発明にあっては、ターゲット距離の異なる複数の撮像画像における同一画素の輝度に基づいて、画素毎の物体までの距離を表す距離画像データを生成するため、自車両前方の状況を連続的に把握できる。
【発明を実施するための最良の形態】
【０００７】
以下、本発明の車両用距離画像データ生成装置を実現するための最良の形態を、図面に基づく実施例により説明する。
【実施例１】
【０００８】
まず、構成を説明する。
図１は、本発明の車両用距離画像データ生成装置を適用した実施例１の障害物検出装置１の構成を示すブロック図であり、実施例１の障害物検出装置１は、距離画像データ生成装置２と、物体認識処理部３と、判断部４とを備えている。
【０００９】
距離画像データ生成装置２は、投光器（投光手段）５と、対物レンズ６と、光増倍部７と、高速度カメラ（撮像手段）８と、タイミングコントローラ（タイミング制御手段）９と、画像処理部（距離画像データ生成手段）１０と、近距離物体センサ１１と、近距離物体認識部１２と、近距離判断部１３とを備えている。
投光器５は、車両の前端部に配置した近赤外線LEDであり、タイミングコントローラ９から出力されるパルス信号に応じて、所定の投光時間tL（例えば、5ns）の間、パルス光を出力する。パルス信号の周期は、投光器５の投光周期tPであり、投光周期tPは、例えば、1/100s以下の間隔とする。
対物レンズ６は、物体からの反射光を受光するためのもので、投光器５と隣接配置している。例えば、自車両前方の所定範囲を撮像できる画角とするように設定された光学系である。
【００１０】
光倍増部７は、ゲート７ａとイメージインテンシファイア７ｂとを備えている。
ゲート７ａは、タイミングコントローラ９からの開閉指令信号に応じて開閉する。ここで、実施例１では、ゲート７ａの開時間（ゲート時間）tGを、投光時間tLと同じ5nsとしている。ここで、ゲート時間tGは、撮像エリア（ターゲット距離）の撮像対象幅に相当し、ゲート時間tGを長くするほど撮像エリアの撮像対象幅は長くなる。実施例１では、ゲート時間tG=5nsとしているため、撮像対象幅は、光速度（約3×108m/s）×ゲート時間(5ns)から、1.5mとなる。
【００１１】
イメージインテンシファイア７ｂは、極微弱な光（物体からの反射光等）を一旦電子に変換して電気的に増幅し、再度蛍光像に戻すことで光量を倍増してコントラストのついた像を見るデバイスである。イメージインテンシファイア７ｂの光電面より光電現象によって打ち出された光電子はkVオーダーの高電圧で加速され、陽極側の蛍光面に打ち込まれることにより、100倍以上の光子数の蛍光を発する。蛍光面で発生した蛍光は、ファイバオプティックプレートにより、そのままの位置関係を保ったまま散乱されることなく高速度カメラ８のイメージセンサに導かれる。
高速度カメラ８は、タイミングコントローラ９からの指令信号に応じて、光倍増部７から発せられた像を撮像し、撮像画像（カラー画像）を画像処理部１０へ出力する。実施例１では、解像度640×480（横：縦）、輝度値1〜255(256段階)、100fps以上のカメラを用いている。
【００１２】
タイミングコントローラ９は、高速度カメラ８により撮像される撮像画像が、狙った撮像エリアから帰ってくる反射光のタイミングとなるように、投光器５の投光開始時点からゲート７ａを開くまでの時間であるディレイ時間tDを設定し、ディレイ時間に応じた開閉指令信号を出力することで、撮像タイミングを制御する。つまり、ディレイ時間tDは、自車両から撮像エリアまでの距離（撮像対象距離）を決める値であり、ディレイ時間tDと撮像対象距離との関係は、以下の式となる。
撮像対象距離＝光速度（約3×108m/s）×ディレイ時間tD/2
図２に、１つの撮像エリアを撮像する際の、投光器５の動作（投光動作）とゲート７ａの動作（カメラゲート動作）との時間的な関係を示す。
【００１３】
タイミングコントローラ９は、撮像エリアが車両手前側から先方へと連続的に移動するように、ディレイ時間tDを所定間隔（例えば、10ns）ずつ長くすることで、高速度カメラ８の撮像範囲を車両前方側へ変化させる。なお、タイミングコントローラ９は、ゲート７ａが開く直前に高速度カメラ８の撮像動作を開始させ、ゲート７ａが完全に閉じた後に撮像動作を終了させる。
【００１４】
また、実施例１では、図３に示すように、撮像対象距離をB1→B2→B3→…と連続的に変化させながら撮像する際、撮像エリアの撮像対象幅Aよりも撮像対象距離の増加量（B2-B1）を短くすることで、撮像エリアの一部がオーバーラップしながら変化するように撮像対象距離の増加量を設定している。
【００１５】
図４は、撮像対象距離の増加量を極限まで小さくした場合、言い換えると、撮像エリアを無限に増やして撮像を行った場合の時間的な輝度変化を示す模式図であり、撮像エリアの一部をオーバーラップさせることで、連続する複数の撮像画像における同一画素の輝度値は、徐々に増加し、ピーク後は徐々に小さくなる特性となる。なお、実際には撮像エリアは有限個（１〜n）であるが、連続する撮像エリアの一部をオーバーラップさせることで、時間的な輝度変化は図４の特性に近くなる。
【００１６】
タイミングコントローラ９は、１フレーム分、すなわち、設定された所定範囲（エリア１、エリア２、…、エリアn）の撮像画像が全て撮像された場合、画像処理部１０に対し画像処理指令信号を出力する。
【００１７】
画像処理部１０は、高速度カメラ８により撮像された１フレーム分の撮像画像における同一画素の輝度に基づいて、画素毎の物体までの距離を表す距離画像データを生成し、生成した距離画像データを物体認識処理部３へ出力する。
【００１８】
近距離物体センサ１１は、投光器５の投光方向の近距離の物体の有無を検出する。例えば、フォトダイオードや超音波センサ等である。
近距離物体認識部１２は、近距離物体センサ１１の検出結果から、投光方向の近距離に物体があるかどうかを判断する。
近距離判断部１３は、ＢＣＭ１４からの情報、近距離物体認識部１２からの情報により、停車中、走行中、障害物の有無から最適な光量、カメラのゲート時間を判断し、タイミングコントローラ９へ指令を出力する。
【００１９】
物体認識処理部３は、距離画像データに含まれる物体を特定する。物体の特定方法は、パターンマッチング等、周知の技術を用いることができる。
判断部４は、物体認識処理部３により特定された物体（人、自動車、標識等）と自車両との関係（距離、相対速度等）に基づいて、警報等による運転者への情報提示、自動ブレーキ等の車両制御の要否を判断する。
ＢＣＭ１４は、車体側のコントローラとして車両に設けられ、各種制御を行うとともに、他の車内のコントローラと必要な情報の通信を行う。そのため、ＢＣＭ１４で取り扱う情報、及びＢＣＭ１４が通信により取得する情報は、近距離判断部１３へＢＣＭ１４から出力することが可能となる。
【００２０】
［距離画像データ生成制御処理］
図５は、実施例１の画像処理部１０で実行される距離画像データ生成制御処理の流れを示すフローチャートで、以下、各ステップについて説明する。なお、この処理は、所定の演算周期で繰り返し実行される。
【００２１】
ステップS1では、画像処理部１０が、投光器５による投光を行わずに自車両前方を撮像した撮像画像の最も輝度の低い輝度値データを最小値データとして記憶し、ステップS2へ移行する。
【００２２】
ステップS2では、画像処理部１０が、撮像画像を入力し、ステップS3へと移行する。
【００２３】
ステップS3では、画像処理部１０が、ステップS1で記憶した最小値データと、ステップS2で入力した撮像画像の各画素の輝度値データのうち最も低い輝度値データとを比較し、当該輝度値データが最小値データよりも低いか否かを判定する。YESの場合にはステップS4へ移行し、NOの場合にはステップS5へ移行する。
【００２４】
ステップS4では、画像処理部１０が、最小値データよりも低い輝度値データを新たな最小値データとして記憶し、ステップS5へ移行する。
【００２５】
ステップS5では、画像処理部１０が、画素毎に輝度値データと最小値データとの差分を取り、当該画素における現在のデータとし、ステップS6へ移行する。
【００２６】
ステップS6では、画像処理部１０が、画素毎に直前（前回制御周期）のデータと現在のデータとの差分を計算し、ステップS7へ移行する。
【００２７】
ステップS7では、画像処理部１０が、ステップS7で求めた差分がしきい値（ノイズ判定しきい値）以下であるか否かを判定する。YESの場合にはステップS9へ移行し、NOの場合にはステップS8へ移行する。実施例１では、しきい値を32とする。
【００２８】
ステップS8では、画像処理部１０が、直前のデータとの差分がしきい値を超えるデータの画素を除外（例えば、輝度値0とする）し、ステップS9へ移行する。
【００２９】
ステップS9では、画像処理部１０が、１フレーム分（エリア１、エリア２、…、エリアn）の画像入力が終了したか否かを判定する。YESの場合にはステップS10へ移行し、NOの場合にはステップS2へ移行する。
【００３０】
ステップS10では、画像処理部１０が、n個の撮像画像の同一画素の輝度値データを比較し、最も値の高い輝度値データと対応する撮像画像のフレーム番号（ディレイ時間tD）から距離画像データを生成し、リターンへ移行する。
【００３１】
[投光量抑制処理]
図６は、実施例１の近距離判断部１３で実行される投光量抑制処理の流れを示すフローチャートで、以下、各ステップについて説明する。
【００３２】
ステップS11では、近距離判断部１３が、タイミングコントローラ９からの情報により、ゲート７ａの制御を行っているかどうかを判断し、ゲート７ａの制御中であるならばステップS12へ進み、ゲート７ａの制御を行っていないならば処理を終了する。
【００３３】
ステップS12では、近距離判断部１３が、ＢＣＭ１４より車速情報を取得する。
【００３４】
ステップS13では、近距離判断部１３が、車速から走行状態かどうかを判断し、走行時ならばステップS14へ進み、停止時ならばステップS17へ進む。
【００３５】
ステップS14では、車両から投光方向のＮm以内に人（物体）がいるかどうかを検出し、人（物体）がいるならばステップS17へ進み、いないならばステップS15へ進む。
【００３６】
ステップS15では、近距離判断部１３が、投光器５のパワーを高く設定するようタイミングコントローラ９へ指令を出力する。
【００３７】
ステップS16では、近距離判断部１３が、より遠距離を撮像するようカメラのパルス時間Ａ(ns)を設定し、タイミングコントローラ９へ出力する。
【００３８】
ステップS17では、近距離判断部１３が、投光器５のパワーを低く設定するようタイミングコントローラ９へ指令を出力する。
【００３９】
ステップS18では、近距離判断部１３が、より近距離を撮像するようカメラのパルス時間Ｂ(ns)を設定し、タイミングコントローラ９へ出力する。
【００４０】
次に、作用を説明する。
［距離画像データ生成作用］
タイミングコントローラ９は、高速度カメラ８により撮像される撮像画像が、狙った撮像エリアから帰ってくる反射光のタイミングとなるように、ディレイ時間tDを設定し、高速度カメラ８の撮像タイミングを制御する。狙った撮像エリアに物体が存在している場合、投光器５から出射された光が撮像エリアから戻ってくる時間は、自車両と撮像エリアまでの距離（撮像対象距離）を光が往復する時間となるため、ディレイ時間tDは、撮像対象距離と光速度から求めることができる。
【００４１】
上記方法で得られた高速度カメラ８の撮像画像において、撮像エリアに物体が存在する場合、当該物体の位置に対応する画素の輝度値データは、反射光の影響を受け、他の画素の輝度値データよりも高い値を示す。これにより、各画素の輝度値データに基づいて、狙った撮像エリアに存在する物体との距離を求めることができる。
【００４２】
さらに、実施例１では、ディレイ時間tDを変化させながら撮像エリア１〜nの撮像画像を取得する。続いて、各撮像画像における同一画素の輝度値データを比較し、最も高い輝度値データを当該画素の距離とし、全ての画素(640×480)の距離データ（距離画像データ）を生成する。
【００４３】
従来のレーザレーダやステレオカメラを用いた距離検出方法では、雨、霧や雪などの影響を受けやすく、信号レベルに対するノイズレベルが大きくなる（SN比が小さい）ため、悪天候時の信頼性が低い。なお、悪天候の影響を受けにくいミリ波レーダを用いた場合、距離検出の信頼性は高くなるが、ミリ波レーダの信号から物体認識（物体の特定）を行うのは困難であり、別途カメラ画像が必要となる。そして、悪天候時にはカメラ画像が不明瞭となるため、正確な物体認識を行うことは困難である。
【００４４】
これに対し、実施例１では、狙った撮像エリアから帰ってくる反射波のみを撮像画像に反映させるため、雨、霧や雪などの影響により屈曲した光、すなわち、ノイズの混入レベルを低く抑え、高いSN比を得ることができる。つまり、悪天候や夜間にかかわらず、高い距離検出精度を得ることができる。
そして、生成された距離画像データにより、全ての画素の距離が分かるため、その後パターンマッチング等の手法を用いて物体認識を行う場合、物体との距離を瞬時に把握できる。
【００４５】
さらに、実施例１では、撮像エリアを連続的に変化させて複数の撮像画像を取得し、各撮像画像を比較して各画素の距離を検出しているため、自車両前方の状況を連続的に、かつ、広範囲に亘って把握できる。例えば、自車両と先行車両との間に歩行者が飛び出してきた状況であっても、先行車と歩行者の距離をそれぞれ同時に把握でき、警報による運転者への情報提示や自動ブレーキ等の車両制御を行うことが可能である。
【００４６】
図７は、自車両前方の異なる位置に４人の歩行者A〜Dが存在している状況を示し、自車両と各歩行者との距離の関係は、A<B<C<Dとする。
このとき、実施例１では、１つの物体からの反射光が連続する複数の撮像エリアにおける撮像画像の画素に反映されるように、撮像エリアの一部をオーバーラップさせている。このため、各歩行者に対応する画素の時間的な輝度変化は、図８に示すように、歩行者の位置でピークを取る三角形の特性を示す。
【００４７】
なお、距離画像データは、警報や車両制御に用いるデータであるため、ある程度の演算速度が要求される以上、撮像エリアを無限に細かく設定することは時間的に不可能であるが、１つの物体からの反射光が複数の撮像画像の含まれるようにすることで、図９に示すように、画素の時間的な輝度変化を上記特性に近似させ、三角形部分のピークと対応する撮像エリアを、当該画素における物体の距離とすることで、検出精度を高めることができる。
【００４８】
[まぶしさ回避作用]
距離画像データ生成のための撮像は、ゲート７ａの制御によりシャッタ時間が短く、投光もパルス状に投光される。
シャッタ時間が短く、長距離や霧など透過率の低い環境に対応させるため、投光する光は強い光が要求される。そのため、投光器５の投光を近くで覗き込むとまぶしくなり、不快感を与えることになる。
【００４９】
実施例１の距離画像データ生成装置２では、レンジゲート機能がオンの場合（ステップS11の判断による）、ＢＣＭ１４より車速を取得し、停車時か走行時かを近距離判断部１３が判断する。そして、停車時の場合はタイミングコントローラ９により投光器５の光量をまぶしくない出力まで弱める。
そのため、停車時に人が投光器５の光を見てもまぶしく感じ、不快になることを抑制する。
【００５０】
通常、遠くを撮影するためには、光量の強さが必要となるが、停車時は目の前の物体が判断できればよいので、光量を弱くしても、物体検出機能上、欲しい映像は撮影が可能となる。また、タイミングコントローラ９からの指令により、ゲート７ａもゲート時間を変更し、近距離のみを撮影するように動作する。
【００５１】
ＢＣＭ１４からの車速情報から、走行時と判断した場合は（ステップS13）、通常の距離画像データ生成の処理を行う（ステップS14→S15→S16)。つまり、比較的遠距離を撮影するように動作する。
そして、走行時であっても、近距離の物体、例えば人などを近距離判断部１３で検出する場合には、タイミングコントローラ９により投光器５の光量をまぶしくない出力まで弱める（ステップS14→S17→S18）。
そのため、停車時に人が投光器５の光を見てもまぶしく感じ、不快になることを抑制する。
【００５２】
さらに、実施例１では、画像処理部１０によって、車両前方の障害物検知として距離画像データを生成し、このデータを物体認識処理部３で障害物検知を行う。
そのため、画像処理部１０及び物体認識処理部３において、通常の撮影を行っている場合に、人等を急に近距離に検出した場合や、近づくのを検出した場合には、同様に投光器５の光量を弱め、高速度カメラ８のゲート時間も変更する。光量を弱めて撮影した画像より近距離に人がいないと判断できた場合は元の光量へ戻し、高速度カメラ８のゲート時間も通常の時間に戻し撮影を行う。
【００５３】
また、さらに、車両が停止から走行に向かう場合には、停止中は、弱い投光量にしているが、走行開始時には、前方の障害物を検知しつつ、その距離を徐々に車速に応じた遠方にし、これに合わせて、投光量を強くしていくようにすればよい。このようにすれば、遠方検知で検出される人がいる場合に、急な投光の強さによりまぶしいと感じ不快にすることを抑制する。
【００５４】
次に、効果を説明する。
実施例１の距離画像データ生成装置２にあっては、以下に列挙する効果を奏する。
【００５５】
(1)自車両前方に所定周期でパルス光を投光する投光器５と、ターゲット距離に応じて設定される撮像タイミングでターゲット距離から帰ってくる反射光を撮像するイメージインテンシファイア７ｂ及び高速度カメラ８と、ターゲット距離が連続的に変化するように撮像タイミングを制御するタイミングコントローラ９と、イメージインテンシファイア７ｂ及び高速度カメラ８により得られたターゲット距離の異なる複数の撮像画像における同一画素の輝度に基づいて、画素毎の物体までの距離を表す距離画像データを生成する画像処理部１０と、自車の近距離の物体を検出する近距離物体センサ１１と、近距離の物体を検出した際に、投光器５の投光量を弱くし、撮像タイミングを弱い投光量に応じるようタイミングコントローラ９に指令出力を行う近距離物体認識部１２及び近距離判断部１３を備えたため、ターゲット距離の異なる複数の撮像画像における同一画素の輝度に基づいて、画素毎の物体までの距離を表す距離画像データを生成し、自車両前方の状況を連続的に把握できる。また、投光範囲に人がいる場合にまぶしく感じ、不快となることを抑制することができる。
【００５６】
(2)上記(1)について、車速情報を取得するＢＣＭ１４からの情報入力を設け、近距離判断部１３は、車両が停車の際には、投光器５の投光量を弱くし、前記撮像タイミングを弱い投光量に応じるよう指令出力を行い、車両が走行の際には、投光器５の投光量を強くし、撮像タイミングを強い投光量に応じるよう指令出力を行うため、停止した車両の投光を人が急に覗き込むようなことがあっても、また投光方向の近距離に人がいる場合でもまぶしく感じ、不快となることを抑制することができる。
【００５７】
（他の実施例）
以上、本発明を実施するための最良の形態を、実施例に基づき説明したが、本発明の具体的な構成については、実施例の構成に限らず、特許請求の範囲の各請求項に係る発明の要旨を逸脱しない限り、設計変更や追加等は許容される。
【００５８】
例えば、投光周期、投光時間、ゲート時間、撮像対象幅、撮像対象距離の変化量、１フレーム中の撮像エリア数は、撮像手段の性能や距離画像データ生成手段の性能に応じて適宜設定することができる。
また、例えば、実施例１では、近距離判断部１２と近距離物体認識部１３を設けたが、近距離判断部１２を判断部４が兼ねるようにし、近距離判断部１３を物体認識処理部３が兼ねる構造であってもよい。
【００５９】
また、例えば、実施例１では、停車時を判断した場合に光量を弱くする処理を行っているが、右左折などでの一時停止の場合は前方からの移動物体を判断できる効果があるため、近距離のみの撮影ではなく、遠距離の撮影が可能となるように、停車判断で光量を弱くするのではなく、近距離物体センサ１１による障害物検知により判断を行うようにしてもよい。
【図面の簡単な説明】
【００６０】
【図１】実施例１の障害物検出装置の構成を示すブロック図である。
【図２】１つの撮像エリアを撮像する際の、投光器の動作（投光動作）とゲートの動作（カメラゲート動作）との時間的な関係を示す図である。
【図３】撮像エリアの一部がオーバーラップする状態を示す図である。
【図４】撮像エリアを無限に増やして撮像を行った場合の時間的な輝度変化を示す模式図である。
【図５】実施例１の画像処理部で実行される距離画像データ生成制御処理の流れを示すフローチャートである。
【図６】実施例１の近距離判断部で実行される投光量抑制処理の流れを示すフローチャートである。
【図７】自車両前方の異なる位置に４人の歩行者A〜Dが存在している状況を示す図である。
【図８】各歩行者A〜Bに対応する画素の時間的な輝度変化を示す模式図である。
【図９】実施例１の距離画像データ生成作用を示す図である。
【符号の説明】
【００６１】
１  障害物検出装置
２  距離画像データ生成装置
３  物体認識処理部
４  判断部
５  投光器（投光手段）
６  対物レンズ
７  光増倍部
７ａ  ゲート
７ｂ  イメージインテンシファイア
８  高速度カメラ（撮像手段）
９  タイミングコントローラ（タイミング制御手段）
１０  画像処理部（距離画像データ生成手段）
１１  近距離物体センサ
１２  近距離物体認識部
１３  近距離判断部
１４  ＢＣＭ
Ｐ  （距離画像データの常時発光箇所を示す）符号
【図１】
2009282906.tif 000003
【図２】
2009282906.tif 000004
【図３】
2009282906.tif 000005
【図４】
2009282906.tif 000006
【図５】
2009282906.tif 000007
【図６】
2009282906.tif 000008
【図７】
2009282906.tif 000009
【図８】
2009282906.tif 000010
【図９】
2009282906.tif 000011